【事件の表示】
　特許第３２１３５５８号「ディスクプレーヤ」の請求項１に係る特許に対する特許異議の申立てについて、次のとおり決定する。
【結　論】
　特許第３２１３５５８号の請求項１に係る特許を維持する。
【理　由】
１ 手続の経緯
　本件特許第３２１３５５８号の請求項１に係る発明についての出願は、平成８年１２月３日に特許出願され、平成１３年７月１９日にその発明について特許権の設定登録がなされ、その後、その特許について特許異議の申立てがなされたものである。
　　
２ 本件発明
　本件特許の請求項１に係る発明（以下、「本件特許発明」という。）は、特許明細書及び図面の記載からみて、その特許請求の範囲の請求項１に記載された事項により特定される次のとおりのものである。
　「【請求項１】中央穴が設けられたディスクが載置され、回転駆動手段によって回転されるディスクテーブルと、前記ディスクテーブルの上面に対して出没するように該ディスクテーブルに回転自在に支持され、且つ自重により没入方向に回動し、突出時にはディスクを前記中央穴を介してクランプし、没入時にはディスクをアンクランプする爪部材と、前記ディスクテーブルの回転軸方向に摺動自在に設けられ、その摺動にて前記爪部材を回動させて出没させるチャック可動部と、前記爪部材を突出させる方向に前記チャック可動部を付勢する付勢手段と、ピックアップが前記ディスクテーブルに近接した位置で当該ピックアップに設けられた押圧部材にて押されて移動し、前記爪部材を回動させて没入させる方向に前記チャック可動部を摺動させるチャック制御機構と、を備えていることを特徴とするディスクプレーヤ。」
　　
３ 異議申立ての理由の概要
　異議申立ての理由は、大要次のとおりである。
　本件特許発明は、甲第１〜５号証に記載された発明に基づいて当業者が容易に発明をすることができたものであるから、特許法第２９条第２項の規定により特許を受けることができない。
　　甲第１号証　特開平７−３０７０４８号公報
　　甲第２号証　特開平７−１０５６０６号公報
　　甲第３号証　特開昭６０−２３９９６１号公報
　　甲第４号証　特開平８−１８０５６５号公報(平成８年７月12日公開)
　　甲第５号証　特開平６−２４３５６２号公報
　　
４ 甲号証に記載された発明
　(1) 甲第１号証（特開平７−３０７０４８号公報）
　　甲第１号証には、装置の薄型化やディスクの自動装着に好適でディスク損傷の虞もない「ディスク装置のクランプ構造」に関する発明が記載されており、特に、図１及び図２に示されたクランプ構造に着目すれば、この甲第１号証には次の発明が記載されている。
　　「中央穴(D1)が設けられたディスク(D)が載置され、回転駆動軸(2)を有するスピンドルモータ(1)〔回転駆動手段〕によって回転されるターンテーブル(3)〔ディスクテーブル〕と、
　　前記ターンテーブル(3)の回転軸方向に摺動自在に設けられたクランパ(5)〔チャック可動部〕と、
　　前記クランパ(5)に設けられており、先端部にディスク(D)内周部を係止するための爪部(5b)有して前記ターンテーブル(3)を貫通して、前記クランパの摺動により前記ターンテーブルの上面に対して出没し、突出時にはディスクを前記中央穴(D1)を介してクランプし、没入時にはディスクをアンクランプする複数の弾性片(5a)と、
　　前記弾性片(5a)を突出させる方向に前記クランパ(5)を付勢する圧縮ばね(6)〔付勢手段〕を備えてなり、
　　ピックアップ(7)が前記ターンテーブル(3)に近接した位置で当該ピックアップに押されて、前記弾性片(5a)を没入させる方向に前記クランパ(5)を摺動させるディスク装置〔ディスクプレーヤ〕。」
　（なお、〔 〕内には本件特許発明の対応する用語を示した。以下、甲第２〜４号証に記載された発明についても同様である。）
　　
　(2) 甲第２号証（特開平７−１０５６０６号公報）
　　甲第２号証には、構造の簡素化、部品点数の減少と共に装置全体の高さ寸法を縮小し、薄型化を実現した「ディスク装置」に関する発明が記載されており、特に、図３に示されたチャッキング手段に着目すれば、この甲第２号証には次の発明が記載されている。
　　「装着孔〔中央穴〕が設けられたディスク(D)が載置され、モータ(4)〔回転駆動手段〕によって回転されるターンテーブル(5)〔ディスクテーブル〕と、
　　前記ターンテーブル(5)の回転軸方向に移動自在に設けられた円盤状のチャッキング部材(7A)〔チャック可動部〕と、
　　前記チャッキング部材(7A)上に具備されており、前記ターンテーブル(5)に形成された誘導孔(5A)を介して該ターンテーブル上に突出し、前記チャッキング部材の上昇時には前記ターンテーブルの中央に向けて、また下降時にはその逆方向に向けて移動するように前記誘導孔により誘導されて、前記ディスク(D)に係脱自在に係合するチャッキング爪(7B)〔爪部材〕と、
　　前記チャッキング部材(7A)を下降方向に付勢する弾性支持機構(8)〔付勢手段〕と、
　　ディスクローディング用トレイ(6)に連動し、前記チャッキング爪(7B)を前記ターンテーブル(5)の中央に向けて移動するように前記チャッキング部材(7A)を上昇させる昇降手段(9)とを備えてなるディスク装置〔ディスクプレーヤ〕。」
　　
　(3) 甲第３号証（特開昭６０−２３９９６１号公報）
　　甲第３号証には、装置の薄型化が可能な「ディスク固定機構」に関する発明が記載されており、特に、第９図に示された第５の実施例に着目すれば、この甲第３号証には次の発明が記載されている。
　　「中心孔〔中央穴〕が設けられたディスク(10)が載置され、回転軸(3)を有するモータ〔回転駆動手段〕によって回転されるターンテーブル(2)〔ディスクテーブル〕と、
　　前記ターンテーブル(2)に回転自在に支持され、且つばね(36)により内方へ回動するように付勢され、外方向へ回動された時には前記ディスク(10)を前記中心孔を介してクランプし、内方向へ回動された時には前記ディスクをアンクランプするハブ(34)〔爪部材〕と、
　　前記ターンテーブル(2)の回転軸方向に移動自在に設けられ、その移動により前記ハブ(34)を外方向へ回動させる駆動ピン(33)〔チャック可動部〕と、
　　前記ハブ(34)を外方向に回動させるように前記駆動ピン(33)を移動させるソレノイドとを備えているディスク固定機構。」
　　
　(4) 甲第４号証（特開平８−１８０５６５号公報）
　　甲第４号証には、特別な外力を必要とせず、装置内の狭いスペースでの記録再生ディスクの装脱着を行なえる「記録再生ディスクの記録再生装置」に関する発明が記載されており、特に、図１及び図２に示された再生ユニット(56)に着目すれば、この甲第４号証には次の発明が記載されている。
　　「ディスク(CD)の中心孔(h)〔中央穴〕が着脱自在に嵌合されるキャップ部(123)が形成され、スピンドル(84)を有するモータ(M1)〔回転駆動手段〕によって回転されるターンテーブル(83)〔ディスクテーブル〕と、
　　前記キャップ部(123)内に収容され、前記キャップ部に形成された開口(127)から放射方向に進退自在に配置された爪体(124)〔爪部材〕と、
　　同じく前記キャップ部(123)内に収容されており、上下方向のみに移動自在な昇降板(131)〔チャック可動部〕、この昇降板を下方へ押圧するスプリング(132)〔付勢手段〕、及び前記昇降板の下側に回動自在に配置されるカム板(133)からなる着脱機構(125)と、
　　前記ターンテーブル(83)の下面に回動自在に配置され、前記ターンテーブルに形成されたガイド溝(83a)を貫通するピン(138)によって前記カム板(133)と一体的に連結された着脱レバー(136)を備えてなり、
　　ヘッド(85)〔ピックアップ〕が最内周に移動されて前記着脱レバー(136)及びカム板(133)の回動が停止されているとき、前記モータ(M1)により前記ターンテーブル(83)を正転又は逆転させて前記カム板に対して前記昇降板(131)を一方又は逆方向に回動させることにより、前記昇降板を上昇して前記爪体(124)が進退自在となるチャック解除位置、又は前記昇降板を下降して前記爪体がキャップ部(123)から進出するチャック位置となる記録再生装置。」
　　
　(5) 甲第５号証（特開平６−２４３５６２号公報）
　　甲第５号証には、ディスク回転時のみディスク上にせり出してディスクを押さえるストッパを設けることにより、ディスク回転時に誤ってドアを開いてもディスクの飛び出しを防止することができる「ディスクチャッキング機構」に関する発明が記載されており、特に、図３及び図４に示されたディスクチャッキング機構(200)に着目すれば、この甲第５号証には次の発明が記載されている。
　　「モータシャフト(4)の上端に取付けられたディスクガイド(3)と、前記ディスクガイドの側部に取付けられたターンテーブル(7)と、機体の上部に配置されたドア(1)の下面に取付けられて前記ターンテーブル上に載置されたディスク(12)を押さえてチャッキングするチャックディスク(2)とを備えるディスクチャッキング機構(200)であって、
　　前記ディスクガイド(3)に形成された切欠部(14)と、前記切欠部内に揺動自在に枢支されてターンテーブル(7)の停止時に自重で前記ディスクガイド内に引き込まれるストッパ(15)とを備え、ターンテーブルの回転時に前記ストッパが遠心力により前記ディスク(12)上にはみ出して該ディスクの飛び出しを防止するディスクチャッキング機構。」
　　
５ 異議申立についての判断
　本件特許発明と甲第１〜５号証に記載された発明とを比較すると、いずれの発明も、「中央穴が設けられたディスクを、回転駆動手段によって回転されるディスクテーブル上にクランプするディスクチャッキング機構」である点において共通するものであるが、甲第１〜５号証に記載されたそれぞれの発明は、本件特許発明を特定する事項の一部である「爪部材が、ディスクテーブルに回転自在に支持され、且つ自重により没入方向に回動し、ディスクをアンクランプする」点を具備していないばかりでなく、示唆をするものでもない。
　そして、本件特許発明は、上記構成を具備することにより、「厚みが薄く且つ構造が簡単であり、薄型化が図れる」という明細書記載の作用・効果を奏するものである。
　したがって、本件特許発明は、甲第１〜５号証に記載された発明に基づいて当業者が容易に発明をすることができたものであるとは云えない。
　　
　なお、異議申立人は、甲第２号証に記載された発明について、次のとおり主張している。
　「図３を参照すると、チャッキング爪７Ｂは、チャッキング部材７Ａとは別体の部材であって、相互連結部分(図で下端)を中心に回動し得る構成であることが類推できる。また、チャッキング爪７Ｂは、その下端の相互連結部分からテーブル径方向内側に湾曲して延長された腕部分を有するので、図３に示すディスククランプ位置では、チャッキング爪７Ｂが自重によりテーブル径方向内側に倒れようとするのを、ターンテーブル５に設けた誘導孔５Ａが支えていることが理解される。」
　そこで、この点について検討すると、甲第２号証に記載された発明は、チャッキング部材(7A)が上昇又は下降されるとき、チャッキング爪(7B)がターンテーブル(5)に設けられた誘導孔(5A)によって誘導されて、前記チャッキング爪の爪先をターンテーブル(5)の中央又は外周方向に向けて移動するものであって、チャッキング爪(7B)が自重によりターンテーブルの中央に向けて回動されるものではない。
　したがって、上記甲第２号証に記載された発明に関する異議申立人の主張は、推測又は想像の域をでないものであって、採用することができない。
　　
　また、異議申立人は、甲第３号証に記載された発明について、次のとおり主張している。
　「ハブ３４は、ばね３６によって内方へ回転してアンクランブ位置に移動するものであるが、第９図に示すように、ばね３６の連結部位としてハブ３４の枢着点(ピン３５)からテーブル径方向内側に延びる延長部分が設けられているので、アンクランプ位置に移動する間には、ばね３６の引張力に加えてハブ３４の重心が径方向内側へ大きく変位することにより、ハブ３４が径方向内側に倒れることが読み取れる。したがって、第９図の構成において仮にばね３６を省略したとしても、駆動ピン３３の下降に伴って、ハブ３４は、延長部分の自重により自動的に径方向内側に倒れ始めるか、少なくともフリーな状態になるからディスク１０を持ち上げる結果として大きな重心変位を生じて径方向内側に倒れることが予測される。」
　そこで、この点について検討すると、甲第３号証に記載された発明は、ターンテーブル(2)に回動可能に支持されたハブ(34)がばね(36)によって内方へ回動するよう付勢されているものであって、ばね(36)を必要とするものであるから、ハブ(34)が自重により内方へ回動されるものではない。
　したがって、上記甲第３号証に記載された発明に関する異議申立人の主張についても、推測又は想像の域をでないものであって、採用することができない。
　　
　さらに、異議申立人は、甲第５号証に記載された発明について、次のとおり主張している。
　「ディスクチャッキング機構における爪部材を自重によりアンクランプ動作させる、という技術思想は、甲第５号証に明確に教示されている。甲第５号証では、ターンテーブルの回転時に遠心力によりディスク上にはみ出してディスクの飛び出しを防止するストッパ１５が、ターンテーブルの停止時には自重でテーブル上のディスクガイド内に引き込まれることが明記されている。」
　そこで、この点について検討すると、甲第５号証に記載された発明において、ターンテーブル(7)上にディスク(12)をチャッキング（クランプ）する手段は、ドア(1)の下面に取付けられたチャッキングディスク(2)であって、ディスクガイド(3)に枢支されたストッパ(15)ではない。このストッパ(15)は、ディスク回転時に誤ってドア(1)が開いてもディスク(12)の飛び出しを防止するものであり、ディスク(12)をターンテーブル(7)上にチャッキングする手段とは異なるものである。
　してみれば、甲第５号証に記載された発明における「ストッパ(15)が自重によりディスクガイド内に引き込まれる」という技術的事項は、ディスクをターンテーブル（ディスクテーブル）上にチャッキング（クランプ）する手段（爪部材）を対象としたものではないから、この技術的事項を甲第１号証に記載された発明における弾性片(5a)（爪部材）に適用することは、当業者であっても容易に想到できることではない。
　したがって、上記甲第５号証に記載された発明に関する異議申立人の主張についても採用することができない。
　　
６ むすび
　以上のとおりであって、特許異議申立ての理由及び証拠によっては、本件特許発明についての特許を取り消すことができない。
　また、他に本件特許を取り消すべき理由を発見しない。
　よって、結論のとおり決定する。
【異議決定日】
平成１４年６月６日（２００２．６．６）